(57)【要約】【課題】ペットボトルなどのキャップを落とすのを防ぐために、簡単な構造で低コストで製造でき、１つでペットボトルやボトル缶に対応可能なキャップホルダを提供する。【解決手段】部材の片方の端に容器の注出部にぶら下げて取り付けるための遊嵌部を設け、部材の他方の端にキャップの形状にかかわらずキャップを保持できる保持部を設けることで、簡単な構造のため低コストで製造でき、ペットボトルやボトル缶等に使用できるキャップホルダを提供する。【選択図】      図１
2006321555.tif 000002
【特許請求の範囲】
【請求項１】
飲料容器に装着して前記飲料容器から取り外したキャップを保持するためのキャップホルダであって、
前記飲料容器を遊嵌させるための遊嵌手段と、
前記キャップを保持するための保持手段と、
前記遊嵌手段と前記保持手段を連結する連結手段と、
を有することを特徴とするキャップホルダ。
【請求項２】
前記連結手段と、前記遊嵌手段または前記保持手段を、１つの部材に形成したことを特徴とする、請求項１のキャップホルダ。
【請求項３】
前記連結手段と、前記遊嵌手段または前記保持手段を、折り曲げ構造を介して連結したことを特徴とする、請求項１のキャップホルダ。
【請求項４】
前記遊嵌手段または前記保持手段は、部材に開口を施して形成したことを特徴とする、請求項１のキャップホルダ。
【請求項５】
前記遊嵌手段または前記保持手段は、部材に開口を施し、開口内に１個以上の突片を設けたことを特徴とする、請求項１のキャップホルダ。
【請求項６】
前記遊嵌手段または前記保持手段は、部材に開口を施し、
根本に折り曲げ構造を有する突片を開口内に１個以上設けたことを特徴とする、請求項１のキャップホルダ。
【請求項７】
前記保持手段は、前記キャップと嵌合する形状に形成したことを特徴とする、請求項１のキャップホルダ。
【請求項８】
前記保持手段は、前記キャップと嵌合する形状に形成し、開口を設けてキャップを押し出すことを可能にしたことを特徴とする、請求項１のキャップホルダ。
【発明の詳細な説明】
【技術分野】本発明は、ペットボトルなどの容器に装着して使用するキャップホルダに関する。
【背景技術】
【０００１】近年、各種の飲料はペットボトルやボトル缶と呼ばれる容器で販売されることが多くなっている。これらの容器はキャップにより封をするため、飲み残した場合も再度封をして保存したり、持ち歩いたりすることが容易である。【０００２】しかし誤ってキャップを落とす場合があり、紛失したり、特に屋外で落とした場合は衛生上の観点から再使用が困難になるため、キャップを落とすと前記の利便性が失われる。そのためキャップの落下を防ぐ方法が必要であり、特許文献１が公開されている。
【特許文献１】特開２０００−２３８８３１号公報
【発明の開示】
【発明が解決しようとする課題】
【０００３】しかし、特許文献１に示されているキャップホルダは、形状，構造が簡単ではなく、またペットボトルとボトル缶のキャップの形状は異なるため、１つでペットボトルとボトル缶の両方には対応できないものであった。
【課題を解決するための手段】
【０００４】部材の片方の端に容器の注出部にぶら下げて取り付けるための遊嵌部を設け、部材の他方の端にキャップの形状にかかわらずキャップを保持できる保持部を設けることで、簡単な構造のため低コストで製造でき、ペットボトルやボトル缶等に使用できるキャップホルダを提供する。
【発明の効果】
【０００５】本発明により、形状，構造が簡単なため低コストで製造でき、しかもペットボトル及びボトル缶のどちらにも使用可能なキャップホルダが提供可能となる。
【発明を実施するための最良の形態】
【０００６】以下、本発明の実施例について説明する。
図１は実施の形態を示す平面図であり、部材の片方の端に遊嵌部１１を有し他方の端に保持部１５を有する。
図２はペットボトルの注出部とキャップを示し、図３はボトル缶の注出部とキャップを示す。
図４は本キャップホルダをペットボトルに装着してキャップを開けた状態を示し、図５は本キャップホルダをペットボトルに装着してキャップを閉めた状態を示す。
図６は本キャップホルダをボトル缶に装着してキャップを開けた状態を示し、図７は本キャップホルダをボトル缶に装着してキャップを閉めた状態を示す。【０００７】なお説明の便宜のため、図２の符号２２で示す部分を「突起部」、図２の符号２３で示す部分を「くびれ部」、図３の符号３２で示す部分を「リング止め部」と呼ぶことにする。【０００８】本キャップホルダは、１枚の板状に形成された部材からなり、片方の端に容器に取り付けるための遊嵌部１１を、他方の端にキャップを保持するための保持部１５を備える。遊嵌部１１と保持部１５の間は連結部１０ａ，連結部１０ｂであり、遊嵌部１１，連結部１０ａ，連結部１０ｂ，保持部１５は折り曲げ構造１９ａ，折り曲げ構造１９ｂを介して折り曲げ可能になっている。
なお本キャップホルダの材料は、厚紙や樹脂などの弾性を有する材料が最適である。【０００９】本キャップホルダは、遊嵌部１１に容器の注出部を通して容器の注出部にぶら下げるように取り付け、保持部１５にキャップを通して取り付ける。
キャップを開閉する時は、本キャップホルダはキャップと共に回動し、キャップへの取り付け位置もキャップ下側になるので邪魔にならず、良好に開閉できる。【００１０】本キャップホルダは、連結部１０ａの長さを連結部１０ｂよりも短くし、折り曲げ構造１９ａと折り曲げ構造１９ｂは異なる方向に折れ曲がるように形成する。これにより、キャップを閉めた際は容器に近接する位置に折りたたまれ、容器を持ち歩く際や容器を保存する際に邪魔にならない。【００１１】遊嵌部１１は、部材の端に開口１２と開口１２内に突片１３を設けて形成し、開口１２にペットボトルの注出部を通して取り付け、突片１３がペットボトルの突起部２２に引っかかることでペットボトルから脱落するのを防ぐ。
開口１２は、ペットボトルの注出部に取り付ける際に突起部２２を通すため、突起部２２の直径よりも大きい開口径にする。
突片１３は、ペットボトルに取り付けた際に、くびれ部２３にひっかかるようにするため、対向する突片１３同士の距離はくびれ部２３の直径程度またはそれ未満にする。
突片１３は、根本で折れ曲がるとペットボトルに取り付ける際に取り付けやすくなるため、突片１３の根本に折り曲げ構造１４を施すとよい。【００１２】なおボトル缶にも使用できるようにするには、ボトル缶に取り付けた際に、突片１３がリング止め部３２に接するようにすると、ボトル缶からの脱落を防ぐことができる。このためペットボトルとボトル缶の両方に使用できるようにするには、リング止め部３２の方がくびれ部２３よりも細いので、対向する突片１３同士の距離はリング止め部３２の直径程度またはそれ未満にするとよい。
突片１３の長さが十分であれば、部材の弾性により突片１３がリング止め部３２を挟み、ボトル缶からの脱落を防げる。【００１３】保持部１５は、部材の端に開口１６と突片１７を設けて形成し、突片１７は根本に折り曲げ構造１８を施す。キャップの保持は、キャップを開口１６に通すことで突片１７が「ハ」の字状に折れ曲がり、部材の弾性により突片１７がキャップを挟むことで、キャップを保持する。
開口１６の開口径は、突片１７によりキャップを挟むことを考慮して、キャップの直径と同じか少し大きい開口径にするとよい。
突片１７の先端を弧状に形成すると、キャップと接触する部位が増えるので、十分にキャップを保持できる。【００１４】またボトル缶にも使用できるようにするには、ボトル缶のキャップにつけられているネジ部３４の凹部に突片１７が引っかかるようにすればよい。
この場合は対向する突片１７同士の距離を、ネジ部３４の凹部の直径程度またはそれ未満にするとよい。【００１５】なお、ペットボトルのみに使用する場合は、突片１７を無くして、開口１６とキャップが嵌合することでキャップを保持するようにしてもよい。この場合の開口１６の開口径は、キャップ下端の直径と同じか少し小さい径にするとよい。【００１６】本キャップホルダを更に改良するために以下の工夫を追加してもよい。
（１）表裏のどちら向きでも使えるようにするために、折り曲げ構造をどちらにも曲がるようにする。
（２）表裏のどちら向きでも使えるようにするため、または表裏を間違えないようにするために、表裏に異なるデザインを施す。
（３）キャップの保持力を強化するために、突片に滑り止めを施す。【００１７】本発明の別の実施形態を以下に示す。
（１）保持部をキャップに被せる形状として、キャップを嵌合させて保持する。
また保持部に開口を設け、キャップを外す際に開口からキャップを押し出せるようにする。
（２）ゴムなどの伸縮性のある部材を使用し、保持部は部材に開口を設けて形成し部材の伸縮性によりキャップと密着して保持する。
（３）保持部は、粘着材でキャップを貼り付けることで、キャップを保持する。
（４）遊嵌部を馬蹄型に形成し、容器を挟むことで容器に取り付けるようにする。
【図面の簡単な説明】
【図１】実施の形態を示す平面図である。
【図２】ペットボトルの注出部とキャップを示す側面図である。
【図３】ボトル缶の注出部とキャップを示す側面図である。
【図４】本キャップホルダをペットボトルに装着してキャップを開けた状態を示す側面図である。
【図５】本キャップホルダをペットボトルに装着してキャップを閉めた状態を示す側面図である。
【図６】本キャップホルダをボトル缶に装着してキャップを開けた状態を示す側面図である。
【図７】本キャップホルダをボトル缶に装着してキャップを閉めた状態を示す側面図である。
【符号の説明】
１０ａ，１０ｂ  連結部
１１  遊嵌部
１２  開口
１３  突片
１４  折り曲げ構造
１５  保持部
１６  開口
１７  突片
１８  折り曲げ構造
１９ａ，１９ｂ  折り曲げ構造
２１  注出口
２２  突起部
２３  くびれ部
２４  キャップ
３１  注出口
３２  リング止め部
３３  キャップ
３４  ネジ部
【図１】
2006321555.tif 000003
【図２】
2006321555.tif 000004
【図３】
2006321555.tif 000005
【図４】
2006321555.tif 000006
【図５】
2006321555.tif 000007
【図６】
2006321555.tif 000008
【図７】
2006321555.tif 000009